(57)【要約】【課題】本発明は、片手で巻き付け作業を行いながら容易に所望のパーマをかけ得る。【解決手段】本発明は、ヘアパーマ用カーラ１において挟着孔７を設けることにより、毛束ＨＡを根元部分から挟着保持し、遊端部６が保持されて毛束ＨＡに対して位置が定められた巻回部２に、当該挟着保持された毛束ＨＡを片手で摘んだ状態で巻き付けることができ、その結果、両手で巻き付け作業を行う必要がなく、熟練のない作業者でも片手で毛束ＨＡを緩ませることなく巻回部２に巻き付けることができ、かくして片手で巻き付け作業を行いながら容易に所望のパーマをかけ得る。【選択図】　　　　図３
2004097629.tif 000002
【特許請求の範囲】
【請求項１】
毛髪を巻回部に巻き付けてパーマをかけるヘアパーマ用カーラにおいて、
開放端から入れられた上記毛髪を上記巻回部の一端側に設けられた終端に案内する案内部と、
上記巻回部の一端側で上記案内部の上記終端に連通され、当該終端まで案内された上記毛髪を毛束として挟着保持する挟着部と
を具え、
上記巻回部の一端が保持された状態で、上記挟着部によって挟着保持された上記毛束を上記巻回部に巻き付ける
ことを特徴とするヘアパーマ用カーラ。
【請求項２】
上記巻回部の他端に係止部を具え、
上記巻回部に巻き付けられた上記毛束を係止する
ことを特徴とする請求項１に記載のヘアパーマ用カーラ。
【発明の詳細な説明】
【０００１】
【発明の属する技術分野】
本発明はヘアパーマ用カーラに関し、毛髪にパーマをかける際に用いるヘアパーマ用カーラに適用して好適なものである。
【０００２】
【従来の技術】
従来、毛髪にパーマをかける際に用いられているヘアパーマ用カーラとしては、外形ほぼ円筒形状でなるロットがあり、所定量の毛髪を当該ロットの円筒外周面に沿って毛先側から根元部分まで巻き付かせた後、例えばクリップ等で固定し、この状態で毛髪を軟化させるパーマ液を塗布してパーマをかけることにより、当該毛髪に対して所望の癖をつけさせる。（例えば、特許文献１参照）
【０００３】
【特許文献１】
特開平８−３２２６３１号公報
【０００４】
【発明が解決しようとする課題】
ところでかかる構成のロットを用いてパーマをかける際には、毛髪に対して所望の癖をつけさせるために、当該ロットに対して毛髪を緩ませずに巻き付かせる必要がある。
【０００５】
ところがかかる構成のロットにおいては、所定量の毛髪を束ねることにより作られたばらつき易い毛束を毛先側から当該ロットを両手で回転させながら巻き取っていくことから、必ず両手を使って巻き付け作業を行う必要があり、このため巻き付け作業には熟練を要し、容易に所望のパーマをかけ難いという問題があった。
【０００６】
本発明は以上の点を考慮してなされたもので、実際上、片手で巻き付け作業を行いながら容易に所望のパーマをかけ得るヘアパーマ用カーラを提案しようとするものである。
【０００７】
【課題を解決するための手段】
かかる課題を解決するため本発明においては、毛髪を巻回部に巻き付けてパーマをかけるヘアパーマ用カーラにおいて、開放端から入れられた毛髪を巻回部の一端側に設けられた終端に案内する案内部と、巻回部の一端側で案内部の終端に連通され、当該終端まで案内された毛髪を毛束として挟着保持する挟着部とを具え、巻回部の一端が保持された状態で、挟着部によって挟着保持された毛束を巻回部に巻き付けるようにした。
【０００８】
従って、ヘアパーマ用カーラでは、巻回部の一端を一方の手で保持して毛束に対して位置を定めた巻回部に、両手で毛髪を束ねることなく巻回部の一端側の挟着部により挟着保持されたばらつき難い毛束を他方の手で摘んだ状態で巻き付けていくことから、両手で巻き付け作業を行う必要がなく、熟練のない作業者でも片手だけで巻回部に当該毛束を緩ませずに巻き付けることができる。
【０００９】
【発明の実施の形態】
以下図面について、本発明の一実施の形態を詳述する。
【００１０】
図１において、１は全体としてヘアパーマ用カーラを示し、例えば合成樹脂材料でなる薄肉（１．５［ｍｍ］程度）の板材でなり、巻回部２と、仮止部３と、係止部４とが一体成形された構成を有する。
【００１１】
巻回部２は、長さが５［ｃｍ］程度で断面長方形状を有し、一端側に連接するように係止部４が形成されていると共に、他端側に連接するように仮止部３が形成されている。
【００１２】
仮止部３は、全体として、ほぼ「Ｕ」字状を有し、当該「Ｕ」字状の一端部５Ａが巻回部２から直線状に一体に延長し、かつ、「Ｕ」字状の他端部５Ｂが当該巻回部２から横外方位置において先端に行くに従って狭くなるように折り返し、これにより当該一端部５Ａと他端部５Ｂとの間に根元部分（すなわち仮止部３の遊端部６）から先端に行くに従ってほぼ「Ｖ」字状に開くような切れ目形状をもつ案内部５を形成している。
【００１３】
案内部５の根元部分には、厚みを貫通するように断面円形状の挟着孔７が形成され、当該挟着孔７の案内部５側部分が当該案内部５に連通している。
【００１４】
ここで、挟着孔７の直径は、案内部５の根元側の幅に比して大きい寸法に形成されていることにより、案内部５との間に段差部（以下、これを挟着段部と呼ぶ）８Ａ及び８Ｂを形成している。
【００１５】
一方、係止部４は、全体として、巻回部２の横幅よりも幅広に形成され、ほぼ中央部分に、「コ」字状の切り込み４Ａが設けられ、これにより切り込み４Ａによって囲まれた係止板部１０と、係止板部１０の周囲を切り込み４Ａを挟んで取り囲む係止枠部１１とでなる板状クリップ１４を形成している。
【００１６】
係止部４は、巻回部２の横幅よりも係止枠部１１が幅広に形成されていることにより、当該巻回部２と係止枠部１１との間にほぼ９０度の段差部（以下、これを係止段部と呼ぶ）１２Ａ及び１２Ｂを有すると共に、先端に台形形状に突出する押圧面部１３を有する。
【００１７】
かくして係止部４は、図２に示すように、係止枠部１１の他端側に形成された台形形状の押圧面部１３が垂直に押圧されると、係止枠部１１の側面部分が当該押圧方向に対して弾力的に弓なり状に湾曲することにより、係止板部１０の外側面と係止枠部１１の内側面との間に隙間を形成できるようになされている。
【００１８】
この実施の形態の場合、係止板部１０の根元側の両側部に断面円形状の貫通孔でなる係止孔９Ａ及び９Ｂが形成され、これにより係止枠部１１が一段と柔軟に湾曲できるようになされている。
【００１９】
また係止部４は、押圧面部１３が押圧されなくなると、係止枠部１１が弾性力によって元に戻ることにより、当該係止枠部１１及び係止板部１０の表面が一致する位置に戻ることができる。
【００２０】
以上の構成において、図３（Ａ）に示すように、パーマをかける作業者は、一方の手の指で遊端部６を把持した状態で、他方の手でヘアパーマ用カーラ１に巻きつけるべき毛髪を摘んで案内部５の開放端側から根元部分の終端側に引き込んで行く。
【００２１】
このとき案内部５に案内された毛髪は、当該案内部５が終端側に行くに従って狭くなっていることにより、他の毛髪から分かれて一まとめの毛束ＨＡに束ねられながら挟着孔７に送り込まれる。
【００２２】
このとき仮止部３は、案内部５の「Ｕ」字状の一端部５Ａ及び他端部５Ｂが挟着孔７によって柔軟性を与えられながら送り込まれる毛髪の量に応じて弾力的に僅かに間が広がることにより、案内部５を通る毛髪を無理なく毛束ＨＡに束ねて行くことができると共に、毛束ＨＡが挟着段部８Ａ及び８Ｂを通り過ぎて挟着孔７に嵌まり込むと毛束ＨＡが案内部５へ戻り難い状態で保持し得、これにより挟着孔７によって毛束ＨＡを挟着保持できる。
【００２３】
このとき挟着孔７は、図４に示すように、毛束ＨＡを当該挟着孔７を介してヘアパーマ用カーラ１の背面側から正面側へ突出させることにより、適度な量の毛束ＨＡ（例えば頭皮ＳＫにおいて約１　［ｃｍ２］　に生えている毛髪）を頭皮ＳＫに近い位置において挟着保持できる。
【００２４】
この状態において、作業者は、図３（Ｂ）に示すように、ヘアパーマ用カーラ１の遊端部６を頭皮ＳＫ近傍において片手で摘んで毛束ＨＡに対してヘアパーマ用カーラ１の位置を定め、他方の手で当該位置を定めた巻回部２に毛束ＨＡを必要回数だけ巻き付けることができる。
【００２５】
このとき仮止部３は、図５に示すように、巻回部２に巻き付ける毛束ＨＡの根元部分を案内部５の一端部５Ａと他端部５Ｂとの間に挟み込むことにより、作業者は巻き付け開始部分の毛束ＨＡをそのねじり度合い等を安定に維持させた状態で、その後の巻回部２に対する毛束ＨＡの巻き付け作業を続けることができる。
【００２６】
やがて、巻回部２の他端側まで毛束ＨＡを巻き付けた状態にすると、作業者はヘアパーマ用カーラ１の係止枠部１１の押圧面部１３を押圧して係止枠部１１を弓なり状に湾曲させて係止枠部１１及び係止板部１０間の隙間に、片手に保持した状態の毛束ＨＡを食い込ませていく。
【００２７】
このとき毛束ＨＡは係止孔９Ａ又は９Ｂまで案内され、その結果、図６に示すように、巻回部２に緩ませずに巻き付けられた状態で毛束ＨＡは係止孔９Ａ又は９Ｂないし係止板部１０及び係止枠部１１間に係止される。
【００２８】
かくして、図３（Ｃ）に示すように、ヘアパーマ用カーラ１を頭部の所望する場所に取り付けた状態において、作業者は毛髪を軟化させるパーマ液を塗布してパーマをかけることにより、所望の癖を毛髪に対してつけさせることができる。
【００２９】
その後、作業者は、ヘアパーマ用カーラ１の係止枠部１１と係止板部１０とを押し開くことにより係止孔９Ａ又は９Ｂによる毛束ＨＡに対する締めつけを解除して挟着孔７から当該毛束ＨＡを引き抜くことにより、ヘアパーマ用カーラ１を毛束ＨＡから取り外す。
【００３０】
以上の構成によれば、ヘアパーマ用カーラ１では、挟着孔７を設けることにより、毛束ＨＡを根元部分から挟着保持し、遊端部６を介して位置を定めた巻回部２に、当該毛束ＨＡを片手で保持した状態で巻き付けることができ、その結果、両手で巻き付け作業を行う必要がなく、熟練のない作業者でも片手で巻回部２に毛束ＨＡを緩ませずに巻き付けることができ、かくして片手で巻き付け作業を行いながら容易に所望のパーマをかけることができる。
【００３１】
またへアパーマ用カーラ１は、巻回部２の他端に係止部４を設けるようにしたことにより、従来の外形ほぼ円筒形状でなるロットを用いる際に必ず必要であった輪ゴムやクリップ等を必要とせず、作業者が巻回部２に緩ませずに巻き付けた毛束ＨＡを係止部４において片手でそのまま係止でき、その結果、両手で作業を行う必要がなく、熟練のない作業者でも巻回部２に緩ませずに巻き付けた状態の毛束ＨＡを容易に片手で係止できる。
【００３２】
このとき係止部４は、係止孔９Ａ及び９Ｂから突出した毛束ＨＡの毛先を係止板部１０と係止枠部１１との間に挟み込んで係止することにより、毛束ＨＡの毛先のばらつきを防止できると共に、係止枠部１１の側面枠部が毛束ＨＡの量に応じて弾力的に僅かに広がることにより、毛束ＨＡを傷めず、かつ確実に係止できる。
【００３３】
さらにヘアパーマ用カーラ１は、挟着孔７によって毛束ＨＡを頭皮ＳＫに近い位置において挟着保持することにより、例えばツイストパーマ（毛束ＨＡをひねりながら巻くパーマ）やスパイラルパーマ（毛束ＨＡをひねらずに巻くパーマ）等種々のパーマをかける際、作業者が手を放しても毛束ＨＡの状態（毛束ＨＡのねじり度合い等）を根元部分において維持させることができる。
【００３４】
これによりヘアパーマ用カーラ１は、仮止部３を介して毛束ＨＡを仮止めしたヘアパーマ用カーラ１を頭部に垂下した状態で保持でき、かくして作業者は全体のバランスや毛束ＨＡのひねり度合い等を考慮して毛髪に当該ヘアパーマ用カーラ１を仮止めしていくことができる。
【００３５】
因みにヘアパーマ用カーラ１では、巻回部２の角部分に毛束ＨＡがかかることにより、当該毛束ＨＡを巻回部２に対して滑らず巻き付けることができ、その結果、巻き付け間隔の状態を維持させて毛束ＨＡを緩ませずにきっちりと巻き付かせることができる。
【００３６】
なお上述の実施の形態においては、仮止部３において案内部５の一端部５Ａ及び他端部５Ｂ間の幅が、当該案内部５の他端に連通された挟着孔７に近づくにつれて狭くなるようにした場合について述べたが、本発明はこれに限らず、例えば図１と対応部分について同一符号を付した図７に示す仮止部５０のように、案内部５１の一端部５１Ａ及び他端部５１Ｂ間の幅が、当該案内部５１の他端に連通された挟着孔７に近づいても変化しないようにしても良く、その他の構造のものを用いることができ、要は挟着孔７が案内部の幅に比して直径が大きく形成されることにより挟着段部を形成し、その結果当該挟着孔７により毛束を挟着保持できる構造であれば良い。
【００３７】
また上述の実施の形態においては、仮止部３の巻回部２側に案内部５の開放端を有すると共に、当該仮止部３の遊端部６側に挟着孔７を有するようにした場合について述べたが、本発明はこれに限らず、例えば図８（Ａ）に示すように、仮止部５５の遊端部５６側に一端部５７Ａと他端部５７Ｂとによる開放端を有すると共に、当該仮止部５５の巻回部５９側に挟着孔５８を有するようにしても良く、この場合でも上述の実施の形態と同様に仮止部５５において案内部５７により案内された毛束ＨＡを挟着孔５８によって挟着保持できる。
【００３８】
また図８（Ｂ）に示すように、巻回部６３の側面から直線状に延長した仮止部６０の側面に切り欠き状に形成された案内部６１を有し、当該仮止部６０の側面に形成された一端部６１Ａと他端部６１Ｂとによる開放端から当該案内部６１の一端に連通した挟着孔６２に毛髪を案内するようにしたり、この他ヘアパーマ用カーラ１の種々の位置に案内部の開放端を形成するようにしても良く、その他の構造のものを用いることができ、要は案内部の開放端から案内された毛束ＨＡを仮止部に形成された挟着孔によって挟着保持できるものであれば良い。
【００３９】
さらに上述の実施の形態においては、挟着部としての挟着孔７を断面円形状とした場合について述べたが、本発明はこれに限らず、挟着孔を断面楕円状や断面四角形状等、この他種々の形状としても良い。因みに毛髪の挟着保持する量は、挟着孔７の直径の大きさにより決定されるため、例えば一度に多くの毛束を挟着保持してパーマをかけたい場合には挟着孔７の直径を大きくすれば良く、パーマの種類に応じて最適な大きさを選定すれば良い。
【００４０】
さらに上述の実施の形態においては、巻回部２を薄肉にするようにした場合について述べたが、本発明はこれに限らず、巻回部２を厚肉にするようにしても良く、要はパーマの種類に応じて巻回部２の太さを最適な大きさに選定すれば良い。因みに、巻回部２を厚肉にした場合にはウェーブの大きいパーマをかけることができる。
【００４１】
さらに上述の実施の形態においては、巻回部２を断面長方形状にするようにした場合について述べたが、本発明はこれに限らず、巻回部２を断面三角形状や断面五角形状、断面多角形状等の棒状のようにこの他種々の形状にするようにしても良く、この場合でも巻回部の角部分に毛束がかかることから当該巻回部に巻き付けた毛束が滑り難くなり、上述と同様の効果を得ることができる。また巻回部に細かな突起を設けるようにしても良く、この場合でも上述と同様の効果を得ることができる。
【００４２】
さらに上述の実施の形態においては、巻回部２の長さを５［ｃｍ］程度にするようにした場合について述べたが、本発明はこれに限らず、毛髪の長さに応じて巻回部２を５［ｃｍ］よりも長くしたり、或いは短くするようにしても良く、例えば巻回部２の長さを短く選定した場合には、従来の外形ほぼ円筒形状でなるロットでは巻き付けることが困難であった例えば男性等の極めて短い毛髪であっても、挟着孔７によって頭皮ＳＫに近い位置から挟着保持した毛束ＨＡを容易に作業者は摘むことができることから、当該毛束ＨＡを確実に巻回部２に巻き付けて係止部４で係止することができ、かくして短い毛髪に対しても一段と容易にパーマをかけることができる。
【００４３】
さらに上述の実施の形態においては、巻回部２を予め５［ｃｍ］程度の長さに形成するようにした場合について述べたが、本発明はこれに限らず、例えば巻回部を伸縮自在に形成するようにしても良く、この場合には長い毛髪や短い毛髪等に応じて巻回部を調節することができ、かくして巻回部２の長さが異なる複数種類のヘアパーマ用カーラを用意することなく１種類のヘアパーマ用カーラを用いて長い毛髪や短い毛髪等にパーマをかけることができる。
【００４４】
さらに上述の実施の形態においては、係止部４として係止孔９Ａ又は９Ｂにより毛束ＨＡを係止すると共に、係止板部１０と係止枠部１１との間に当該毛束ＨＡの毛先を挟み込むことにより当該毛先を係止するようにした場合について述べたが、本発明はこれに限らず、図９（Ａ）に示すように、係止部８１として巻回部８２から直線状に一体に延長された係止板部８３にネジ８４を用いて、一端側が湾曲状にそった係止板部８５を取り付けることにより、当該巻回部８２に巻き付けた毛束の毛先を、係止板部８３及び８５との隙間に食い込ませていくことにより毛束の毛先を係止するようにしたり、図９（Ｂ）に示すように、係止部９０として単に薄肉状の止め板９１を形成し、脱着自在のクリップ９２を用いて当該止め板９１に巻回部９３で巻き付けた毛束の毛先を止めるようにしたり、或いは係止部を仮止部３と同様に形成するようにしても良く、要は係止部において巻回部に巻き付けられた毛束の毛先を係止できるものであれば良い。
【００４５】
さらに上述の実施の形態においては、ヘアパーマ用カーラ１をパーマをかける際に用いるようにした場合について述べたが、本発明はこれに限らず、例えば家庭内で使用される電気アイロンカーラの先端部分に本発明のヘアパーマ用カーラ１と同様の形状を装着し、当該電気アイロンカーラを使用する際に本発明によるヘアパーマ用カーラを用いるようにしても良く、この場合、作業者自身が電気アイロンカーラを用いて自身の毛束を容易に巻回部にしっかりと巻き付けさせることができ、かくして家庭内で容易に所望のパーマを作業者自身によりかけることができる電気アイロンカーラを実現し得る。
【００４６】
【発明の効果】
上述のように本発明によれば、ヘアパーマ用カーラでは、巻回部の一端を一方の手で保持して毛束に対して位置を定めた巻回部に、両手で毛髪を束ねることなく巻回部の一端側の挟着部により挟着保持されたばらつき難い毛束を他方の手で摘んだ状態で巻き付けていくことから、両手で巻き付け作業を行う必要がなく、熟練のない作業者でも片手だけで巻回部に当該毛束を緩ませずに巻き付けることができ、かくして片手で巻き付け作業を行いながら容易に所望のパーマをかけ得るヘアパーマ用カーラを実現できる。
【図面の簡単な説明】
【図１】ヘアパーマ用カーラの平面構成を示す略線図である。
【図２】ヘアパーマ用カーラにおいて係止部の押圧面部が押圧されたときの様子を示す略線的斜視図である。
【図３】ヘアパーマ用カーラの使用例を示す略線図である。
【図４】ヘアパーマ用カーラにおける毛束の挟着保持の様子を示す略線図である。
【図５】仮止部により毛束が仮止めされた様子を示す略線図である。
【図６】ヘアパーマ用カーラに毛束が巻き付けられた様子を示す略線図である。
【図７】他の実施の形態による仮止部（１）を示す略線図である。
【図８】他の実施の形態による仮止部（２）を示す略線図である。
【図９】他の実施の形態による係止部を示す略線図である。
【符号の説明】
１……ヘアパーマ用カーラ、２、５９、６１、６３、８２、９３……巻回部、３、５０、５５、６０……仮止部、４、８１、９０……係止部、５、５１、５７、６１……案内部、６、５６……遊端部、７、５８、６２……挟着孔、９Ａ、９Ｂ……係止孔、１０、８３、８５……係止板部、１１……係止枠部、１２Ａ、１２Ｂ……係止段部、１３……押圧面部、１４……板状クリップ、９１……止め板部、９２……クリップ。
【図１】
2004097629.tif 000003
【図２】
2004097629.tif 000004
【図３】
2004097629.tif 000005
【図４】
2004097629.tif 000006
【図５】
2004097629.tif 000007
【図６】
2004097629.tif 000008
【図７】
2004097629.tif 000009
【図８】
2004097629.tif 000010
【図９】
2004097629.tif 000011